(57)【要約】【課題】輪ゴムやテープ、パック、容器等を別に容易することなく、残った食品を収納する開封後の包装体を再封緘することができる包装体連結用粘着ラベル、包装体の連結体、及び包装体の再封緘方法を提供することを目的としている。【解決手段】部分的に重なり合うように一方向にずらして並べた状態の複数の包装体２…を連結させるために、一方向に延在されて各包装体２にそれぞれ貼着される包装体連結用粘着ラベル５において、一方向に直交する他方向に沿って切り取られて分離される再封緘部１０を有しており、再封緘部１０は、裏面の少なくとも一部に粘着層が形成され、開封後の包装体２に貼着させて開封後の包装体２を再封緘させることが可能である【選択図】図１
2008174281.tif 000002
【特許請求の範囲】
【請求項１】
部分的に重なり合うように一方向にずらして並べた状態の複数の包装体を連結させるために、前記一方向に延在されて各包装体にそれぞれ貼着される包装体連結用粘着ラベルにおいて、
前記一方向に直交する他方向に沿って切り取られて分離される再封緘部を有しており、
該再封緘部は、裏面の少なくとも一部に粘着層が形成され、開封後の包装体に貼着させて該開封後の包装体を再封緘させることが可能であることを特徴とする包装体連結用粘着ラベル。
【請求項２】
請求項１記載の包装体連結用粘着ラベルにおいて、
ずらした状態で重ねられた前記包装体間の境界部分に、前記再封緘部が形成されていることを特徴とする包装体連結用粘着ラベル。
【請求項３】
請求項１または２記載の包装体連結用粘着ラベルにおいて、
前記再封緘部の切り取り線方向の両端のうちの少なくとも一方は、該再封緘部に隣接する他の部分よりも外側に出ていて凸状になっていることを特徴とする包装体連結用粘着ラベル。
【請求項４】
請求項１から３のいずれかに記載の包装体連結用粘着ラベルにおいて、
前記再封緘部の切り取り線に沿ってミシン目が形成されていることを特徴とする包装体連結用粘着ラベル。
【請求項５】
請求項１から４のいずれかに記載の包装体連結用粘着ラベルにおいて、
前記再封緘部の切り取り線の端部位置に切り口が形成されていることを特徴とする包装体連結用粘着ラベル。
【請求項６】
請求項１から５のいずれか一項に記載の包装体連結用粘着ラベルによって、部分的に重なり合うように一方向にずらされた状態で並べられた複数の包装体が連結されていることを特徴とする包装体の連結体。
【請求項７】
複数の包装体が部分的に重なり合うように一方向にずらして並べられて包装体連結用粘着ラベルにより連結されてなる連結体から包装体を切り離して該包装体を開封した後、該包装体を再び封緘する包装体の再封緘方法であって、
前記包装体連結用粘着ラベルの一部を前記一方向に直交する他方向に沿って切り取って、裏面の少なくとも一部に粘着層が形成された再封緘部を分離させ、
該再封緘部を開封後の包装体に貼着させて該開封後の包装体を再封緘することを特徴とする再封緘方法。
【発明の詳細な説明】
【技術分野】
【０００１】
本発明は、複数の包装体を連結させるための包装体連結用粘着ラベル、この包装体連結用粘着ラベルにより連結された包装体の連結体、及びこの包装体連結用粘着ラベルを用いた包装体の再封緘方法に関する。
【背景技術】
【０００２】
従来から、スライスハム等の食肉製品の分野においては、当該食品を包装した包装体（単体）を複数連結させた状態（連結体）で流通させる技術が広く普及している。詳しく説明すると、連結体は、部分的に重なり合うように一方向にずらして並べられた状態の複数の包装体を粘着ラベルで連結させることで形成させている。上記粘着ラベルは、複数の包装体のずらし方向に延在するラベルであり、裏面に形成された粘着層により各包装体にそれぞれ貼着されている（例えば、特許文献１参照。）。
【０００３】
消費者は、上記した連結体単位で購入し、その食品を消費する際には、粘着ラベルを剥したり包装体間の境界部分の位置で粘着ラベルを切断したりすることで、連結体から包装体の一つを切り離し、さらに、切り離された包装体を開封して中の食品を取り出す。
【特許文献１】実用新案登録第２５７４５２７号
【発明の開示】
【発明が解決しようとする課題】
【０００４】
しかしながら、消費者が、包装体の中に収納されている食品を全て消費するとは限らず、包装体の中に収納されている食品の一部だけを消費し、残った食品を包装体の中に収納させて保管する場合がある。このとき、残った食品を収納する包装体は開封された状態となっているため、食品の臭いが外部に漏れたり食品が乾燥したりする問題がある。
このため、消費者は、残った食品を収納した包装体を輪ゴムやテープで止めたりパックや容器に入れたりして保管する場合が多いが、輪ゴムやテープ、パック、容器等を別に用意しなければならず、消費者にとって煩わしいという問題がある。
【０００５】
本発明は、上記した従来の問題が考慮されたものであり、輪ゴムやテープ、パック、容器等を別に用意することなく、残った食品を収納する開封後の包装体を再封緘することができる包装体連結用粘着ラベル、包装体の連結体、及び包装体の再封緘方法を提供することを目的としている。
【課題を解決するための手段】
【０００６】
本発明に係る包装体連結用粘着ラベルは、部分的に重なり合うように一方向にずらして並べた状態の複数の包装体を連結させるために、前記一方向に延在されて各包装体にそれぞれ貼着される包装体連結用粘着ラベルにおいて、前記一方向に直交する他方向に沿って切り取られて分離される再封緘部を有しており、該再封緘部は、裏面の少なくとも一部に粘着層が形成され、開封後の包装体に貼着させて該開封後の包装体を再封緘させることが可能であることを特徴としている。
【０００７】
このような特徴により、複数の包装体にそれぞれ貼着された包装体連結用粘着ラベルから切り取って分離させた再封緘部を用いて、例えば包装体の開封口を止める等して、開封された包装体が再封緘される。
【０００８】
また、本発明に係る包装体連結用粘着ラベルは、ずらした状態で重ねられた前記包装体間の境界部分に、前記再封緘部が形成されていることが好ましい。
これにより、複数の包装体にそれぞれ貼着された包装体連結用粘着ラベルから、再封緘部を切り取って分離させることで、連結体から包装体が分離される。
なお、上記した「境界部分」とは、ずらした状態で重ねられた包装体間を跨ぐ部分、又は包装体間の境界に近接する部分のことをいう（以下、同様である。）。
【０００９】
また、本発明に係る包装体連結用粘着ラベルは、前記再封緘部の切り取り線方向の両端のうちの少なくとも一方は、該再封緘部に隣接する他の部分よりも外側に出ていて凸状になっていることが好ましい。
これにより、再封緘部を切り取る際、再封緘部の凸状の部分を摘んで他端側にめくることで再封緘部が切り取られて分離される。
なお、上記した「切り取り線」とは、再封緘部と再封緘部に隣接する他の部分とを区切る線のことであり、視認できる態様でラベル表面に表された線だけでなく、視認できない仮想の線も含むものとする（以下、同様である。）。
【００１０】
また、本発明に係る包装体連結用粘着ラベルは、前記再封緘部の切り取り線に沿ってミシン目が形成されていることが好ましい。
これにより、再封緘部を切り取る際、再封緘部の一端を摘んで他端側にめくることで、ミシン目に沿って包装体連結用粘着ラベルが切断される。
【００１１】
また、本発明に係る包装体連結用粘着ラベルは、前記再封緘部の切り取り線の端部位置に切り口が形成されていることが好ましい。
これにより、再封緘部を切り取る際、再封緘部の一端を摘んで他端側にめくることで、切り口の部分をきっかけに包装体連結用粘着ラベルが容易に切られる。また、切り取り線の端部位置に切り口があるため、再封緘部の一端を摘んで他端側にめくると、切り口から切り取り線に沿って包装体連結用粘着ラベルが切断されることになる。
【００１２】
本発明に係る包装体の連結体は、上記した本発明に係る包装体連結用粘着ラベルによって、部分的に重なり合うように一方向にずらされた状態で並べられた複数の包装体が連結されていることを特徴としている。
【００１３】
このような特徴により、上述した本発明に係る包装体連結用粘着ラベルと同様の作用を奏する。
【００１４】
本発明に係る再封緘方法は、複数の包装体が部分的に重なり合うように一方向にずらして並べられて包装体連結用粘着ラベルにより連結されてなる連結体から包装体を切り離して該包装体を開封した後、該包装体を再び封緘する包装体の再封緘方法であって、前記包装体連結用粘着ラベルの一部を前記一方向に直交する他方向に沿って切り取って、裏面の少なくとも一部に粘着層が形成された再封緘部を分離させ、該再封緘部を開封後の包装体に貼着させて該開封後の包装体を再封緘することを特徴としている。
【００１５】
このような特徴により、包装体連結用粘着ラベルから切り取って分離させた再封緘部によって、開封された包装体が再封緘される。
【発明の効果】
【００１６】
本発明に係る包装体連結用粘着ラベルによれば、輪ゴムやテープ、パック、容器等を別に用意することなく、複数の包装体を連結している当該ラベルの一部である再封緘部によって、開封後の包装体を再封緘することができる。これによって、消費者にとって煩わしい手間が省けて使い易くなる。
【００１７】
また、本発明に係る包装体連結用粘着ラベルにおいて、ずらした状態で重ねられた包装体間の境界部分に再封緘部が形成されることで、再封緘するために用いる再封緘部を分離させることで、連結体から包装体を切り離すことができ、再封緘部を分離させる作業と連結体から包装体を切り離す作業を一括して行なうことができる。これにより、消費者にとって一層使い易くなる。
【００１８】
また、本発明に係る包装体連結用粘着ラベルにおいて、再封緘部の切り取り線方向の両端のうちの少なくとも一方は、再封緘部に隣接する他の部分よりも外側に出ていて凸状になっていることにより、再封緘部の凸状の端部を摘んでめくることで、容易に再封緘部を切り取って分離させることができる。これにより、消費者にとって一層使い易くなる。
【００１９】
また、本発明に係る包装体連結用粘着ラベルにおいて、再封緘部の切り取り線に沿ってミシン目が形成されることにより、再封緘部を分離させる際に、容易に所定位置で切ることができる。このため、再封緘部を所定幅で切り取ることができ、再封緘部の幅を容易に確保することができる。これにより、消費者にとって一層使い易くなる。
【００２０】
また、本発明に係る包装体連結用粘着ラベルにおいて、再封緘部の切り取り線の端部位置に切り口が形成されていることにより、再封緘部を分離させる際に、容易に所定の位置で切り始めることができる。このため、再封緘部を所定幅で切り取ることができ、再封緘部の幅を容易に確保することができる。これにより、消費者にとって一層使い易くなる。
【００２１】
本発明に係る包装体の連結体によれば、上述した本発明に係る包装体連結用粘着ラベルと同様の効果を奏することができる。
【００２２】
本発明に係る包装体の再封緘方法によれば、輪ゴムやテープ、パック、容器等を別に用意することなく、包装体連結用粘着ラベルの一部の再封緘部によって、開封後の包装体を再封緘することができる。これによって、消費者にとって煩わしい手間が省けて使い易くなる。
【発明を実施するための最良の形態】
【００２３】
以下、本発明に係る包装体連結用粘着ラベル、包装体の連結体、及び包装体の再封緘方法の実施の形態について、図面に基いて説明する。
【００２４】
［第１の実施の形態］
図１は第１の実施の形態を説明するための連結体１の平面図であり、図２（ａ）は第１の実施の形態を説明するための連結体１の全体の断面図であり、図２（ｂ）は図２（ａ）に示すＡ部分の拡大図である。
【００２５】
図１、図２（ａ）、図２（ｂ）に示すように、連結体１は、複数（図１、図２では３つ）の包装体２…を連結させた構成からなる。包装体２は、スライスハム等の食品を包装して密封する部材であり、矩形状の基板３の表面中央に食品Ｘを配置させるとともにその上からフィルム状の被覆シート４を被覆させ、食品Ｘの周囲で基板３と被覆シート４とを接着させた構成からなる。包装体２内の食品Ｘは、上記した基板３と被覆シート４とにより密封されている。また、複数の包装体２…は、部分的に重なり合うように一方向（図１における左右方向）に少しづつずらして並べられている。
【００２６】
連結体１の表面（図２における上側）には、商品名やキャッチフレーズなどが印刷された第１の包装体連結用粘着ラベル５が貼り付けられており、連結体１の裏面（図２における下側）には、原材料名や内容量等の食品表示やバーコード等が印刷された第２の包装体連結用粘着ラベル６が貼り付けられている。第１、第２の包装体連結用粘着ラベル５、６は、一方向（複数の包装体２…をずらして並べた方向）に長い帯状のラベルであり、両端に配設された包装体２、２間に亘って延在されている。第１、第２の包装体連結用粘着ラベル５、６の裏面には全体的或いは部分的に粘着層７が形成されており、第１、第２の包装体連結用粘着ラベル５、６は各包装体２…にそれぞれ貼着されている。これら第１、第２の包装体連結用粘着ラベル５、６によって、一方向にずらして重ねて並べられた複数の包装体２…が連結されている。
【００２７】
第１の包装体連結用粘着ラベル５には、開封後の包装体２の再封緘に用いられる再封緘部１０が形成されている。再封緘部１０は、一方向（図２における左右方向）に延在する第１の包装体連結用粘着ラベル５の一部が一方向に直交する他方向（図２における上下方向）に沿って切り取られて分離される部位である。この再封緘部１０は、他方向に長い帯状の形状になっており、その切り取り線Ｌ方向の一端（図１における上側端部）には、再封緘部１０に隣接する他の領域部分１１よりも外側に出ている摘み部１０ａが形成されている。この摘み部１０ａは、再封緘部１０に隣接する他の領域部分１１よりも外側に出ていて凸状になっている。図１に示す例では、摘み部１０ａは半円形状になっている。
【００２８】
また、再封緘部１０は、第１の包装体連結用粘着ラベル５のうち、ずらした状態で重ねられた包装体２、２間の境界部分Ｐの位置に形成されており、包装体２、２間の境界線Ｑを跨って形成されている。また、再封緘部１０は、第１の包装体連結用粘着ラベル５のうち、最下層側の包装体２（図１における右側の包装体２）に貼着される端部にも形成されている。
【００２９】
また、再封緘部１０の裏面の全部又は一部には粘着層７が形成されている。この再封緘部１０の粘着層７は再貼着可能な粘着層であり、再封緘部１０は被覆シート４上から剥した後に再び基板３や被覆シート４に貼着させることができる。
【００３０】
また、再封緘部１０の表面には、再封緘部１０が開封後の包装体２の再封緘に使用できることの表示１２がある。この表示１２としては、例えば、「このラベルで再封して下さい。」や「鮮度キーパーラベル  使いかけパックに貼ってご使用ください。」等の文字や、再封として使用できることを表示する図や、或いは、文字と図を組み合わせたものであってもよい。この表示１２によって、再封緘部１０によって再封緘させることができるということを消費者に認識させることができる。なお、この表示１２は、再封緘部１０の上に無くてもよく、例えば、再封緘部１０に隣接する他の領域部分１１や第２の包装体連結用粘着ラベル６にあってもよい。
【００３１】
また、再封緘部１０の切り取り線Ｌに沿ってミシン目１３が形成されていることが好ましい。ミシン目１３は、ポリエチレンやポリプロピレン等のプラスチックフィルムからなる第１の包装体連結用粘着ラベル５の表層材だけでなく紙等からなる基材にも形成された完全貫通形のミシン目でもよく、或いは、表層材にのみ形成された半貫通形のミシン目でもよい。なお、勿論、上記したミシン目１３が無い構成とすることも可能である。
【００３２】
次に、上記した連結体１の包装体２から食品Ｘを取り出す方法、及び包装体２の再封緘方法について説明する。
【００３３】
まず、再封緘部１０の一方端にある摘み部１０ａを摘んで他端側（図１における下側）にめくることで、切り取り線Ｌに沿って切りながら再封緘部１０を他端側に剥していき、第１の包装体連結用粘着ラベル５から再封緘部１０を切り取って分離させる。
次に、包装体２を引張って第２の包装体連結用粘着ラベル６から包装体２を剥し取り、連結体１から包装体２を分離させる。
その後、図３（ａ）に示すように、包装体２の被覆シート４をめくって包装体２を開封し、包装体２内の食品Ｘを取り出す。
【００３４】
また、図３（ｂ）に示すように、開封された包装体２内に食品Ｘが残っている場合、上記した分離させた再封緘部１０を使って再封緘する。具体的に説明すると、包装体２の開封口２ａをまるめ、まるめられた開封口２ａに再封緘部１０を貼着させて開封口２ａを止める。
【００３５】
上記した構成からなる第１の包装体連結用粘着ラベル５、包装体２…の連結体１、及び包装体２の再封緘方法によれば、複数の包装体２を連結している第１の包装体連結用粘着ラベル５の一部である再封緘部１０によって、開封後の包装体２を再封緘することができる。これによって、輪ゴムやテープ、パック、容器等を別に用意することなく、消費者にとって煩わしい手間が省けて使い易くなる。
【００３６】
また、包装体２、２間の境界部分Ｐに再封緘部１０が形成されているため、第１の包装体連結用粘着ラベル５から再封緘部１０を切り取って分離させることで、連結体１から包装体２が分離される。このように、再封緘部１０を分離させる作業と連結体１から包装体２を切り離す作業を一括して行なうことができるため、消費者にとって一層使い易くなる。
【００３７】
また、再封緘部１０の切り取り線Ｌ方向の一端（摘み部１０ａ）が再封緘部１０に隣接する他の領域部分１１よりも外側に出ていて凸状になっているため、凸状の摘み部１０ａを摘んで他端側にめくることで再封緘部１０が切り取られて分離される。これにより、第１の包装体連結用粘着ラベル５から再封緘部１０を容易に分離させることができ、消費者にとって更に使い易くなる。
【００３８】
また、切り取り線Ｌに沿ってミシン目１３を形成させることで、再封緘部１０を切り取る際、再封緘部１０の一端（摘み部１０ａ）を摘んで他端側にめくることで、ミシン目１３に沿って第１の包装体連結用粘着ラベル５が切断されて再封緘部１０が分離される。このように、再封緘部１０を分離させる際に、容易に所定位置で切ることができるため、再封緘部１０を所定幅で切り取ることができ、再封緘部１０の幅を容易に確保することができる。これにより、消費者にとって一層使い易くなる。
【００３９】
［第２の実施の形態］
図４は第２の実施の形態を説明するための連結体１の平面図である。なお、この第２の実施の形態では、上記した第１の実施の形態と同様の構成についてはその説明を省略する。
【００４０】
図４に示すように、本実施の形態における第１の包装体連結用粘着ラベル１０５の切り取り線Ｌの一方の端部位置には、再封緘部１１０を切り取るための切り口１０５ａが形成されている。この切り口１０５ａは、図４に示すように、角をアール状に丸くカットした切り口であるが、直線的にカットしたＶ字状の切り口でもよく、或いはＩ字状の切り口でもよい。
【００４１】
上記した構成からなる第１の包装体連結用粘着ラベル１０５によれば、上述した第１の実施の形態と同様に、輪ゴムやテープ、パック、容器等を別に用意することなく開封後の包装体２を再封緘することができ、消費者にとって煩わしい手間が省けて使い易くなるという効果を奏することができ、また、再封緘部１１０を分離させる作業と連結体１から包装体２を切り離す作業を一括して行なうことができるため、消費者にとって一層使い易くなるという効果を奏することができる。
【００４２】
また、上記した構成からなる第１の包装体連結用粘着ラベル１０５によれば、再封緘部１１０を切り取る際、再封緘部１１０の一端を摘んで他端側にめくることで、切り口１０５ａの部分をきっかけに第１の包装体連結用粘着ラベル１０５が容易に切られる。また、切り取り線Ｌの端部位置に切り口１０５ａがあるため、再封緘部１１０の一端を摘んで他端側にめくると、切り口１０５ａから切り取り線Ｌに沿って第１の包装体連結用粘着ラベル５が切断されることになる。これによって、再封緘部１１０を所定幅で切り取ることができ、再封緘部１１０の幅を容易に確保することができる。よって、消費者にとって一層使い易くなる。
【００４３】
以上、本発明に係る包装体連結用粘着ラベル、包装体の連結体、及び包装体の再封緘方法の実施の形態について説明したが、本発明は上記した実施の形態に限定されるものではなく、その趣旨を逸脱しない範囲で適宜変更可能である。例えば、上記した第１、第２の実施の形態では、再封緘部１０、１１０が包装体２、２間の境界線Ｑを跨って形成されているが、本発明は、図５に示すように、再封緘部２１０が境界線Ｑを跨っていなくてもよく、境界線Ｑに近接するように再封緘部２１０を形成することもできる。具体的に説明すると、切り取り線Ｌが境界線Ｑ上にくるように再封緘部２１０を形成する。
【００４４】
また、上記した第１、第２の実施の形態では、ずらした状態で重ねられた包装体２，２間の境界部分Ｐに再封緘部１０、１１０が形成されているが、本発明は、図６に示すように、再封緘部３１０が境界部分Ｐ以外の位置に形成させることもできる。すなわち、包装体２、２間の境界線Ｑから離れた位置に再封緘部３１０が形成されていてもよい。
【００４５】
また、上記した第１の実施の形態では、包装体２の開封口２ａをまるめて再封緘部１０で止めることで開封後の包装体２を再封緘しているが、本発明は、再封緘部１０を用いて開封後の包装体２を再封緘すればよく、上記した以外の方法で再封緘してもよい。例えば、図７に示すように、包装体２の開封口２ａをまるめずに再封緘部１０で止めることもできる。また、図８に示すように、包装体２全体をまるめて再封緘部１０で止めることもできる。
【００４６】
また、上記した第１の実施の形態では、再封緘部１０の一端が凸状になっているが、本発明は、再封緘部１０の両端を凸状にすることもできる。
また、上記した第１の実施の形態において、再封緘部１０の摘み部１０ａが設けられていない構成にすることもできる。すなわち、再封緘部１０の切り取り線Ｌ方向の端部を、再封緘部１０に隣接する他の領域部分１１の端部とフラットにすることもできる。
【００４７】
また、上記した第２の実施の形態では、切り取り線Ｌの一方の端部位置にのみ切り口１０５ａが形成されているが、本発明は、切り取り線Ｌの両方の端部位置に切り口１０５ａがそれぞれ形成された構成とすることもできる。
【００４８】
また、上記した第２の実施の形態では、第１の実施の形態の摘み部１０ａに相当する部分がなく、再封緘部１１０の端部が、再封緘部１１０に隣接する他の領域部分１１の端部とフラットになっているが、本発明は、第２の実施の形態の構成において第１の実施の形態のように再封緘部１１０の端部が凸状になっていてもよい。
【００４９】
また、上記した第２の実施の形態における第１の包装体連結用粘着ラベル１０５において第１の実施の形態で説明したミシン目１３が形成されていてもよい。
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００５０】
【図１】本発明に係る第１の実施の形態を説明するための連結体の平面図である。
【図２】（ａ）は本発明に係る第１の実施の形態を説明するための連結体の全体断面図であり、（ｂ）は連結体の部分断面図である。
【図３】（ａ）は本発明に係る第１の実施の形態を説明するための包装体の開封状態を表した包装体の平面図であり、（ｂ）は開封後の包装体の再封緘状態を表した包装体の平面図である。
【図４】本発明に係る第２の実施の形態を説明するための連結体の平面図である。
【図５】本発明に係る他の実施の形態を説明するための連結体の平面図である。
【図６】本発明に係る他の実施の形態を説明するための連結体の平面図である。
【図７】本発明に係る他の実施の形態を説明するための開封後の包装体の再封緘状態を表した包装体の平面図である。
【図８】本発明に係る他の実施の形態を説明するための開封後の包装体の再封緘状態を表した包装体の平面図である。
【符号の説明】
【００５１】
２  包装体
５  第１の包装体連結用粘着ラベル（包装体連結用粘着ラベル）
７  粘着層
１０，１１０，２１０，３１０  再封緘部
１１  他の部分
１３  ミシン目
１０５ａ  切り口
Ｌ  切り取り線
Ｐ  境界部分
【図１】
2008174281.tif 000003
【図２】
2008174281.tif 000004
【図３】
2008174281.tif 000005
【図４】
2008174281.tif 000006
【図５】
2008174281.tif 000007
【図６】
2008174281.tif 000008
【図７】
2008174281.tif 000009
【図８】
2008174281.tif 000010